(57)【特許請求の範囲】
【請求項１】
少なくとも一つの文書ファイル及び該文書ファイルを開いてその内容を表示するビューアプログラムを記憶しているメモリーと、
前記ビューアプログラムを起動して前記メモリーに保存されている文書ファイルのいずれかのページを複数のセルに分割し、該複数のセルの中から選択されたセルを画面ウィンドウの所定領域に表示すると共に、該画面ウィンドウの所定領域に表示したセルと隣り合った少なくとも一つのセルを前記画面ウィンドウの別の領域に表示する制御部と、
を含んで構成され、
前記制御部は、
前記メモリーに保存されている文書ファイルから選択されたページを複数のセルに分割する分割処理部と、
前記セルの中から選択されたセルをメインセルとして前記画面ウィンドウの所定領域に表示し、そして、該メインセルの左側に隣り合うセルを、前記画面ウィンドウにおいて前記メインセルを表示する領域の上部の領域に表示すると共に、該メインセルの右側に隣り合うセルを、前記画面ウィンドウにおいて前記メインセルを表示する領域の下部の領域に表示し、該左右側に隣り合うセルを表示する領域は前記メインセルを表示する領域よりも狭くする画面レイアウトを行う画面レイアウト処理部と、
当該画面レイアウトにより前記画面ウィンドウに表示されるべき各セルを前記画面ウィンドウの対応領域に表示する画面表示処理部と、
を含む、
ことを特徴とする画面分割表示機能付きの電子端末。
【請求項２】
前記画面レイアウト処理部は、
前記メインセルの左斜め上側に隣り合うセルを、前記画面ウィンドウにおいて前記左側に隣り合うセルを表示する領域の上部の領域に表示すると共に、前記メインセルの右斜め下側に隣り合うセルを、前記画面ウィンドウにおいて前記右側に隣り合うセルを表示する領域の下部の領域に表示し、該左斜め上側及び右斜め下側に隣り合うセルを表示する領域は前記メインセルを表示する領域よりも狭くする画面レイアウトを行うことを特徴とする請求項１に記載の電子端末。
【請求項３】
前記画面レイアウト処理部は、
前記メインセルの左右側に隣り合うセルが存在しない場合、当該不在セルの領域は表示せず、該表示しない領域分だけ、前記メインセルを表示する領域を広げて表示する画面レイアウトを行うことを特徴とする請求項１に記載の電子端末。
【請求項４】
前記画面レイアウト処理部は、
前記メインセルの左斜め上側及び右斜め下側に隣り合うセルが存在しない場合、当該不在セルの領域は表示せず、該表示しない領域分だけ、前記メインセルを表示する領域を広げて表示する画面レイアウトを行うことを特徴とする請求項２に記載の電子端末。
【請求項５】
前記画面レイアウト処理部は、
前記メインセルを表示する領域よりも狭くした領域に表示するセルについて、当該セルの全内容を縮小表示するか又は一部内容を表示するように画面レイアウトを行うことを特徴とする請求項１〜４のいずれかに記載の電子端末。
【請求項６】
前記画面レイアウト処理部は、
前記メインセルを表示する領域よりも狭くした領域に表示したセルのいずれかが選択されると、該セルの全内容又は一部内容を、ポップアップ機能を通じて前記画面ウィンドウにオーバーレイして表示するように画面レイアウトを行うことを特徴とする請求項１〜５のいずれかに記載の電子端末。
【請求項７】
前記画面表示処理部は、
前記所定領域に表示したメインセルが前記ページのどの位置に該当するセルであるかを示すサムネイルウィンドウを前記画面ウィンドウ中に表示することを特徴とする請求項１〜５のいずれかに記載の電子端末。
【請求項８】
前記画面表示処理部は、
前記所定領域に表示したメインセルが前記ページのどの位置に該当するセルであるかを示す半透明な位置報知ウィンドウを前記画面ウィンドウにオーバーレイして表示することを特徴とする請求項１〜５のいずれかに記載の電子端末。
【請求項９】
前記ページを構成する前記セルと一対一に対応し、前記画面ウィンドウの所定領域に表示したメインセルの前記ページにおける位置を発光によって表すキーを備えたキー入力部をさらに含むことを特徴とする請求項１〜８のいずれかに記載の電子端末。
【請求項１０】
前記セルのいずれかを選択するためのセル間移動操作用の方向キーを備えたキー入力部をさらに含むことを特徴とする請求項１〜８のいずれかに記載の電子端末。
【請求項１１】
機能設定により前記セルのいずれかを選択するためのセル間移動操作用となるファンクションキーを備えたキー入力部をさらに含むことを特徴とする請求項１〜８のいずれかに記載の電子端末。
【請求項１２】
前記ページを構成する前記セルと一対一に対応し、選択対象のセルの前記ページにおける位置を指示するキーを備えたキー入力部をさらに含むことを特徴とする請求項１〜８のいずれかに記載の電子端末。
【請求項１３】
画面ウィンドウに表示する文書ファイルをメモリーから選択する選択ステップと、
該選択ステップにおいて選択された文書ファイルの表示するページを複数のセルに分割する分割ステップと、
前記セルの中から選択されたセル及び該選択セルと隣り合ったセルを画面ウィンドウに表示する表示ステップと、
を含み、
前記表示ステップは、
前記選択セルをメインセルとして前記画面ウィンドウの所定領域に表示し、そして、該メインセルの左側に隣り合うセルを、前記画面ウィンドウにおいて前記メインセルを表示する領域の上部の領域に表示すると共に、該メインセルの右側に隣り合うセルを、前記画面ウィンドウにおいて前記メインセルを表示する領域の下部の領域に表示し、該左右側に隣り合うセルを表示する領域は前記メインセルを表示する領域よりも狭くする画面レイアウトを行うステップと、
当該画面レイアウトにより前記画面ウィンドウに表示されるべき各セルを前記画面ウィンドウの対応領域に表示するステップと、
を含む、
ことを特徴とする画面分割表示機能付きの電子端末の画面表示方法。
【請求項１４】
前記表示ステップは、
前記画面レイアウトを行うステップで、
前記メインセルの左斜め上側に隣り合うセルを、前記画面ウィンドウにおいて前記左側に隣り合うセルを表示する領域の上部の領域に表示すると共に、前記メインセルの右斜め下側に隣り合うセルを、前記画面ウィンドウにおいて前記右側に隣り合うセルを表示する領域の下部の領域に表示し、該左斜め上側及び右斜め下側に隣り合うセルを表示する領域は前記メインセルを表示する領域よりも狭くする画面レイアウトを行うことを特徴とする請求項１３に記載の画面表示方法。
【請求項１５】
前記表示ステップは、
前記画面レイアウトを行うステップで、
前記メインセルの左右側に隣り合うセルが存在しない場合、当該不在セルの領域は表示せず、該表示しない領域分だけ、前記メインセルを表示する領域を広げて表示する画面レイアウトを行うことを特徴とする請求項１３に記載の画面表示方法。
【請求項１６】
前記表示ステップは、
前記画面レイアウトを行うステップで、
前記メインセルの左斜め上側及び右斜め下側に隣り合うセルが存在しない場合、当該不在セルの領域は表示せず、該表示しない領域分だけ、前記メインセルを表示する領域を広げて表示する画面レイアウトを行うことを特徴とする請求項１４に記載の画面表示方法。
【請求項１７】
前記表示ステップは、
前記画面レイアウトを行うステップで、
前記メインセルを表示する領域よりも狭くした領域に表示するセルについて、当該セルの全内容を縮小表示するか又は一部内容を表示するように画面レイアウトを行うことを特徴とする請求項１３〜１６のいずれかに記載の画面表示方法。
【請求項１８】
前記表示ステップは、
前記画面レイアウトを行うステップで、
前記メインセルを表示する領域よりも狭くした領域に表示したセルのいずれかが選択されると、該セルの全内容又は一部内容を、ポップアップ機能を通じて前記画面ウィンドウにオーバーレイして表示するように画面レイアウトを行うことを特徴とする請求項１３〜１７のいずれかに記載の画面表示方法。
【請求項１９】
前記表示ステップは、
前記所定領域に表示したメインセルが前記ページのどの位置に該当するセルであるかを示すサムネイルウィンドウを前記画面ウィンドウ中に表示するステップをさらに含むことを特徴とする請求項１３〜１７のいずれかに記載の画面表示方法。
【請求項２０】
前記表示ステップは、
前記所定領域に表示したメインセルが前記ページのどの位置に該当するセルであるかを示す半透明な位置報知ウィンドウを前記画面ウィンドウにオーバーレイして表示するステップをさらに含むことを特徴とする請求項１３〜１７のいずれかに記載の画面表示方法。
【請求項２１】
前記ページを構成する前記セルと一対一に対応するように配設されたキーパッドの発光によって、前記画面ウィンドウの所定領域に表示したメインセルの前記ページにおける位置を表すステップをさらに含むことを特徴とする請求項１３〜２０のいずれかに記載の画面表示方法。
【請求項２２】
キー入力を通じたセル間移動操作に応じて前記分割ステップの分割セルからいずれかのセルを選択するステップをさらに含むことを特徴とする請求項１３〜２０のいずれかに記載の画面表示方法。
【請求項２３】
ファンクションキーの機能設定によるキー入力を通じたセル間移動操作に応じて前記分割ステップの分割セルからいずれかのセルを選択するステップをさらに含むことを特徴とする請求項１３〜２０のいずれかに記載の画面表示方法。
【請求項２４】
前記ページを構成する前記セルと一対一に対応するように配設されたキーパッドのキー入力を通じた前記ページ上のセル位置指示に応じて、前記分割ステップの分割セルからいずれかのセルを選択するステップをさらに含むことを特徴とする請求項１３〜２０のいずれかに記載の画面表示方法。
【発明の詳細な説明】
【技術分野】
【０００１】
本発明は、電子端末の画面表示に関し、より詳しくは、移動通信端末などの電子端末において各種の文書ファイルを開いて参照するとき、文書ファイルの内容を視認可能に拡大している状態で文書ファイルの全体の内容を参照する際に、必要となるボタン操作を極力抑えることのできる画面分割表示機能付きの電子端末及びその画面表示方法に関する。
【背景技術】
【０００２】
最近、移動通信分野の急速な発展には目を見張るものがある。この種の移動通信端末には、携帯電話、ＰＣＳ（Personal Communication Services）フォン、ＧＳＭ（Global System for Mobile Communications）端末などがある。このように移動通信分野が多様化され、且つ、移動通信端末の普及が進むに伴い、カメラ機能、ＭＰ３再生機能、ＤＭＢ視聴機能、文書表示機能などの種々の付加サービスが移動通信端末で利用可能になっている。
【０００３】
従来の移動通信端末は、パソコン（ＰＣ）から文書をダウンロードして参照する場合、画面が小さくて、表示される文字を認識することができない場合が多かった。このため、従来の移動通信端末には、拡大／縮小機能を通じて文書ファイルの一部内容を拡大した状態で、方向キーを押したり、あるいは、マウスやタッチスクリーンを用いてスクロールバーを操作したりする方法が採用されている。
【発明の開示】
【発明が解決しようとする課題】
【０００４】
上記のように従来の移動通信端末においては、拡大状態で方向キーを操作することにより画面を移動させているため、文書ファイルの内容を読み取るためには、画面を端から端まで移動させるのに多くのカーソル移動操作が求められるといった不都合がある。例えば、１行を左から右へとスクロールさせて読み終わったときに右端から左端まで戻るというような操作で、多数回の方向キーのクリックが求められる。
【０００５】
本発明は、上記事情に鑑みてなされたものであり、移動通信端末などの電子端末において各種の文書ファイルを開いてその内容を参照するとき、文書ファイルの内容を視認可能に拡大した状態で文書ファイルの全体の内容を参照する際に、必要となるボタンの操作を極力抑えることのできる画面分割表示機能付きの電子端末及びその画面表示方法を提供することを目的とする。
【課題を解決するための手段】
【０００６】
上記の目的を達成するために、本発明の画面分割表示機能付きの電子端末は、少なくとも一つの文書ファイル及び該文書ファイルを開いてその内容を表示するビューアプログラムを記憶しているメモリーと、前記ビューアプログラムを起動して前記メモリーに保存されている文書ファイルのいずれかのページを複数のセルに分割し、該複数のセルの中から選択されたセルを画面ウィンドウの所定領域に表示すると共に、該画面ウィンドウの所定領域に表示したセルと隣り合った少なくとも一つのセルを前記画面ウィンドウの別の領域に表示する制御部と、を含んで構成されることを特徴とする。
【０００７】
本発明に係る前記制御部は、前記メモリーに保存されている文書ファイルから選択されたページを複数のセルに分割する分割処理部と、前記セルの中から選択されたセルをメインセルとして前記画面ウィンドウの所定領域に表示し、そして、該メインセルの左側に隣り合うセルを、前記画面ウィンドウにおいて前記メインセルを表示する領域の上部の領域に表示すると共に、該メインセルの右側に隣り合うセルを、前記画面ウィンドウにおいて前記メインセルを表示する領域の下部の領域に表示し、該左右側に隣り合うセルを表示する領域は前記メインセルを表示する領域よりも狭くする画面レイアウトを行う画面レイアウト処理部と、当該画面レイアウトにより前記画面ウィンドウに表示されるべき各セルを前記画面ウィンドウの対応領域に表示する画面表示処理部と、を含むことを特徴とする。
【０００８】
前記画面レイアウト処理部は、前記メインセルの左斜め上側に隣り合うセルを、前記画面ウィンドウにおいて前記左側に隣り合うセルを表示する領域の上部の領域に表示すると共に、前記メインセルの右斜め下側に隣り合うセルを、前記画面ウィンドウにおいて前記右側に隣り合うセルを表示する領域の下部の領域に表示し、該左斜め上側及び右斜め下側に隣り合うセルを表示する領域は前記メインセルを表示する領域よりも狭くする画面レイアウトを行うことを特徴とする。また、前記画面レイアウト処理部は、前記メインセルの左右側に隣り合うセルが存在しない場合、当該不在セルの領域は表示せず、該表示しない領域分だけ、前記メインセルを表示する領域を広げて表示する画面レイアウトを行うことを特徴とする。あるいは、前記画面レイアウト処理部は、前記メインセルの左斜め上側及び右斜め下側に隣り合うセルが存在しない場合、当該不在セルの領域は表示せず、該表示しない領域分だけ、前記メインセルを表示する領域を広げて表示する画面レイアウトを行うことを特徴とする。この場合、前記画面レイアウト処理部は、前記メインセルを表示する領域よりも狭くした領域に表示するセルについて、当該セルの全内容を縮小表示するか又は一部内容を表示するように画面レイアウトを行うことができる。あるいはまた、前記画面レイアウト処理部は、前記メインセルを表示する領域よりも狭くした領域に表示したセルのいずれかが選択されると、該セルの全内容又は一部内容を、ポップアップ機能を通じて前記画面ウィンドウにオーバーレイして表示するように画面レイアウトを行うことを特徴とする。
【０００９】
前記画面表示処理部は、前記所定領域に表示したメインセルが前記ページのどの位置に該当するセルであるかを示すサムネイルウィンドウを前記画面ウィンドウ中に表示することを特徴とする。また、前記画面表示処理部は、前記所定領域に表示したメインセルが前記ページのどの位置に該当するセルであるかを示す半透明な位置報知ウィンドウを前記画面ウィンドウにオーバーレイして表示することを特徴とする。
【００１１】
このような電子端末は、前記ページを構成する前記セルと一対一に対応し、前記画面ウィンドウの所定領域に表示したメインセルの前記ページにおける位置を発光によって表すキーを備えたキー入力部をさらに含むことができる。また、前記セルのいずれかを選択するためのセル間移動操作用の方向キーを備えたキー入力部をさらに含むことができる。あるいは、機能設定により前記セルのいずれかを選択するためのセル間移動操作用となるファンクションキーを備えたキー入力部をさらに含むことができる。あるいはまた、前記ページを構成する前記セルと一対一に対応し、選択対象のセルの前記ページにおける位置を指示するキーを備えたキー入力部をさらに含むことができる。
【００１２】
上記の目的を達成するために、本発明の画面分割表示機能付きの電子端末の画面表示方法は、画面ウィンドウに表示する文書ファイルをメモリーから選択する選択ステップと、該選択ステップにおいて選択された文書ファイルの表示するページを複数のセルに分割する分割ステップと、前記セルの中から選択されたセル及び該選択セルと隣り合ったセルを画面ウィンドウに表示する表示ステップと、を含み、前記表示ステップは、前記選択セルをメインセルとして前記画面ウィンドウの所定領域に表示し、そして、該メインセルの左側に隣り合うセルを、前記画面ウィンドウにおいて前記メインセルを表示する領域の上部の領域に表示すると共に、該メインセルの右側に隣り合うセルを、前記画面ウィンドウにおいて前記メインセルを表示する領域の下部の領域に表示し、該左右側に隣り合うセルを表示する領域は前記メインセルを表示する領域よりも狭くする画面レイアウトを行うステップと、当該画面レイアウトにより前記画面ウィンドウに表示されるべき各セルを前記画面ウィンドウの対応領域に表示するステップと、を含むことを特徴とする。
【００１３】
前記表示ステップは、前記画面レイアウトを行うステップで、前記メインセルの左斜め上側に隣り合うセルを、前記画面ウィンドウにおいて前記左側に隣り合うセルを表示する領域の上部の領域に表示すると共に、前記メインセルの右斜め下側に隣り合うセルを、前記画面ウィンドウにおいて前記右側に隣り合うセルを表示する領域の下部の領域に表示し、該左斜め上側及び右斜め下側に隣り合うセルを表示する領域は前記メインセルを表示する領域よりも狭くする画面レイアウトを行うことができる。また、前記表示ステップは、前記画面レイアウトを行うステップで、前記メインセルの左右側に隣り合うセルが存在しない場合、当該不在セルの領域は表示せず、該表示しない領域分だけ、前記メインセルを表示する領域を広げて表示する画面レイアウトを行うことができる。あるいは、前記表示ステップは、前記画面レイアウトを行うステップで、前記メインセルの左斜め上側及び右斜め下側に隣り合うセルが存在しない場合、当該不在セルの領域は表示せず、該表示しない領域分だけ、前記メインセルを表示する領域を広げて表示する画面レイアウトを行うことができる。この場合、前記表示ステップは、前記画面レイアウトを行うステップで、前記メインセルを表示する領域よりも狭くした領域に表示するセルについて、当該セルの全内容を縮小表示するか又は一部内容を表示するように画面レイアウトを行うことができる。あるいは、前記表示ステップは、前記画面レイアウトを行うステップで、前記メインセルを表示する領域よりも狭くした領域に表示したセルのいずれかが選択されると、該セルの全内容又は一部内容を、ポップアップ機能を通じて前記画面ウィンドウにオーバーレイして表示するように画面レイアウトを行うことができる。
【００１５】
前記表示ステップは、前記所定領域に表示したメインセルが前記ページのどの位置に該当するセルであるかを示すサムネイルウィンドウを前記画面ウィンドウ中に表示するステップをさらに含むことができる。また、前記表示ステップは、前記所定領域に表示したメインセルが前記ページのどの位置に該当するセルであるかを示す半透明な位置報知ウィンドウを前記画面ウィンドウにオーバーレイして表示するステップをさらに含むことができる。あるいは、前記ページを構成する前記セルと一対一に対応するように配設されたキーパッドの発光によって、前記画面ウィンドウの所定領域に表示したメインセルの前記ページにおける位置を表すステップをさらに含むことができる。あるいはまた、キー入力を通じたセル間移動操作に応じて前記分割ステップの分割セルからいずれかのセルを選択するステップをさらに含むことができる。また、ファンクションキーの機能設定によるキー入力を通じたセル間移動操作に応じて前記分割ステップの分割セルからいずれかのセルを選択するステップをさらに含むことができる。あるいはまた、前記ページを構成する前記セルと一対一に対応するように配設されたキーパッドのキー入力を通じた前記ページ上のセル位置指示に応じて、前記分割ステップの分割セルからいずれかのセルを選択するステップをさらに含むことができる。
【発明の効果】
【００１７】
本発明によれば、移動通信端末などの小さなＬＣＤを備えている電子端末において、各種の文書を参照するとき、文書を複数のセルに分割し、該分割セルの中から選択されたセルを画面に合わせて拡大表示する。また、本発明においては、ユーザーの普段の読書スタイルを考慮して、メインセルとして拡大した画面を表示し、該拡大表示したメインセルの左手、右手、左斜め上側、右斜め下側などの内容を、目視可能な最小サイズで表示すると共に、これらを上下左右の方向キー（例えば、ナビゲーションキー）により移動することができる。
【００１８】
このように、電子端末に配備された方向キーを用いて分割セル間の移動を容易に行うことができるので、文書が視認可能に拡大された状態であっても、全体の文書を表示するために求められるカーソルの移動操作回数が画期的に減ることになる。
【発明を実施するための最良の形態】
【００１９】
以下、添付図面に基づき、本発明の一実施形態を詳細に説明する。
【００２０】
図１は、移動通信端末において画面分割表示機能を行うための画面分割表示原理を説明するための図である。図１を参照すると、移動通信端末に保存されている文書ファイルのいずれか１ページを１画面ウィンドウにいっぱいに表示すると共に、該１ページを３×３の合計９個のセルに分割している。これにより、当該文書の１ページはＡ、Ｂ、Ｃ、Ｄ、Ｅ、Ｆ、Ｇ、Ｈ、Ｉのセルからなるものとなる。図示のように文書の１ページが１画面ウィンドウに全体表示されていると、文書内の文字が小さくてユーザーが目視できない状態である。
【００２１】
ＡからＩのセルに分割されたそれぞれのセルは、この後に拡大して１画面ウィンドウに表示することが可能であり、各セルがそれぞれ１画面ウィンドウに拡大表示されると、当該セル内の文字は目視可能になる。
【００２２】
図２は、図１に示す各セルのうちＥセルを拡大して１画面ウィンドウに表示する場合を示している。図１に示すＥセルを拡大して１画面ウィンドウに表示することにより、ユーザーは、Ｅセルに含まれている内容を読み取ることが可能になる。このとき、ユーザーの普段の読書スタイルを考慮して、Ｅセルを拡大して画面ウィンドウに表示するとき、Ｅセルだけではなく、Ｅセルと隣り合うセルもＥセルと一緒に画面ウィンドウに表示する。Ｅセルと該Ｅセルと隣り合うセルとを一緒に表示することにより、Ｅセルの内容を読んでいる最中であっても、ユーザーは、Ｅセルと隣り合うセルに含まれている内容を大まかに把握することが可能になる。但し、ユーザーが重点的に見たいのはＥセルの内容であるため、Ｅセルの内容は大きく拡大表示する一方で、Ｅセルと隣り合うセルについては、Ｅセルよりも小さく表示する。
【００２３】
例えば、図２には、Ｅセル３の左側に隣り合うＤセル２をＥセル３の上部に隣り合うように表示し、且つ、Ｅセル３の右側に隣り合うＦセル４をＥセル３の下部に隣り合うように表示している。そして、Ｅセル３の左斜め上側に隣り合うＡセル１をＥセル３のＤセルを一つおいた上に表示し、且つ、Ｅセル３の右斜め下側に隣り合うＩセル５をＥセル３のＦセルを一つおいた下に表示している。
【００２４】
図３は、画面分割表示機能付きの移動通信端末の構成ブロック図である。図３を参照すると、本発明の一実施形態による画面分割表示機能付き移動通信端末は、画面ウィンドウに表示すべき文書を保存しているメモリー１１０と、メモリーに保存されている文書の中から選択されたいずれか１ページを複数のセルに分割して画面ウィンドウに表示すると共に、その中から選択されたセルを拡大して画面ウィンドウの所定の領域に表示する制御部１２０と、ＲＦ部１３０と、音声処理部１４０と、スピーカー１５０と、マイク１６０と、キー入力部１７０と、画面ウィンドウを提供する表示部１８０と、を備えてなる。
【００２５】
メモリー１１０は、各種の文書ファイルと、該文書ファイルを開いて当該文書ファイルの内容を画面ウィンドウに表示するビューアプログラムと、を記憶している。また、メモリー１１０は、ビューアプログラムの起動により文書のいずれか１ページが複数のセルに分割された場合、各セルを画面ウィンドウに表示するための一時記憶も担当する。
【００２６】
ビューアプログラムは、制御部１２０により起動され、メモリー１１０に保存されている各種の文書の内容を画面ウィンドウに表示するプログラムであって、１ページを複数のセルに分割し、所定のセルと該セルと隣り合うセルとを画面ウィンドウの所定の各領域に表示するようにプログラミングされている。
【００２７】
また、メモリー１１０には、分割セルの中から画面ウィンドウの中央に表示されるべきセルが選択される場合、当該セルを拡大して画面ウィンドウの中央に表示するためのデータを一時記憶する。また、その画面ウィンドウの中央に表示されたセルと隣り合うセルを、画面ウィンドウの中央表示領域の周りに隣り合うように表示するためのデータを一時記憶する。分割セルの中から選択されて画面ウィンドウの所定領域、例えば中央に表示されるセルを「メインセル」と称し、分割セルの中から選択されて画面ウィンドウの所定領域に表示されたセル（つまりメインセル）と隣り合うセルを「隣接セル」と称する。
【００２８】
メモリー１１０は、動作プログラムを記憶するＲＯＭと、電気的書き換え可能なＥＥＰＲＯＭと、ＲＡＭと、により構成される。
【００２９】
制御部１２０は、移動通信端末の動作の全般を制御すると共に、メモリー１１０に記憶されているビューアプログラムを起動して、メモリー１１０に保存されている各種の文書ファイルの内容を分割画面表示処理を通じて表示部１８０の画面ウィンドウに表示する。このために、制御部１２０は、移動通信処理部１２１と、分割処理部１２２と、画面レイアウト処理部１２３と、画面表示処理部１２４と、を備えてなる。
【００３０】
移動通信処理部１２１は、移動通信端末１００において無線資源を活用して移動通信サービスを提供するためのモジュールであって、公知の移動通信技術を用いて構成されて動作するため、ここでは詳細な説明を省略する。分割処理部１２２は、メモリー１１０に保存されている文書ファイルの中から選択された一つの文書ファイルの１ページを複数のセルに分割し、各セルをメモリー１１０に一時記憶する。画面レイアウト処理部１２３は、画面ウィンドウに表示されるべき複数のセルをレイアウトする。このとき、画面レイアウト処理部１２３は、図４に示すように、１ページを構成する全セルを画面ウィンドウに表示するように画面レイアウトを行うか、あるいは、図５に示すように、１ページを構成する複数のセルの中から選択された特定のセルをメインとして画面ウィンドウに表示するように画面レイアウトを行う。
【００３１】
図４及び図５に示すソフトキーには、オプションキー（Options）１６と、ズームキー（Zoom）１７と、次へキー（Next）１８と、方向キー１９と、がある。このようなソフトキーは表示部１８０の画面ウィンドウに表示されるものであり、キー入力部１７０に設けられたハードキーに対応して配設されている。これにより、ユーザーは、このようなソフトキーを参照して、ソフトキーに対応してキー入力部１７０に設けられたハードキーを操作することにより、該当動作を実行させることができる。例えば、オプションキー１６は、移動通信端末の種々のサービス機能を実行するためのキーであり、ズームキー１７は、全体の表示機能のうち拡大表示機能を実行するためのキーであり、次へキー１８は、ある文書が多数のページよりなる場合、次のページにめくるためのキーであり、そして方向キー１９は、複数のセルの中から画面ウィンドウに表示すべきセルを選択するためのキーである。これにより、ユーザーは、拡大表示機能が実行された状態で、方向キー１９に対応するキー入力部１７０の方向キーを操作することにより、分割された複数のセルの中から所望のものを選択して表示部１８０に表示することが可能になる。
【００３２】
画面レイアウト処理部１２３は、分割された各セルの中からユーザーの操作により画面ウィンドウにメインセルとして表示されるべきセルが選択されると、該選択セルをメインセルとし、当該セルと隣り合う隣接セルを選択する。この隣接セルをメインセルの周りに配置して表示する方式としては、種々のタイプがある。例えば、メインセルを画面ウィンドウの中央の部分に所定のサイズで配置し、この画面ウィンドウの中央に配置表示されたメインセルの上部にメインセルの左側に隣り合うセルを小さいサイズで表示し、画面ウィンドウの中央に配置表示されたメインセルの下部にメインセルの右側に隣り合うセルを小さいサイズで表示する。また、ユーザーの読書スタイルを考慮して、メインセルの左右側のセルだけを表示すること以外にも、メインセルの左斜め上側に隣り合うセルをメインセルの左側に隣り合うセルが配置された側の上部に配置して表示し、メインセルの右斜め下側に隣り合うセルをメインセルの右側に隣り合うセルが配置された側の下部に配置して表示する。
【００３３】
これによれば、画面ウィンドウには、図５に示すように、上から順番に、左斜め上側の隣接セル１１、左側隣接セル１２、メインセル１３、右側隣接セル１４、右斜め下側の隣接セル１５が配置されて表示される。
【００３４】
画面レイアウト処理部１２３は、画面ウィンドウの配置に際し、メインセルが選択されてはいるものの、当該メインセルに対する左斜め上側の隣接セル、左側の隣接セル、右側の隣接セル、右斜め下側の隣接セルのいずれかがない場合、不在のセルは配置せずに、存在するセルだけで画面ウィンドウを構成する。これにより、隣接セルが存在しない場合には、配置されるべきメインセルのサイズがその分大きくなる。
【００３５】
画面表示処理部１２４は、画面レイアウト処理部１２３のセルのレイアウト動作に応じて、文書の１ページを構成する分割セルを、図４に示すように、画面いっぱいに表示するか、あるいは、分割処理部１２２により分割されたセルのうちユーザーの操作により選択されたセルを、図５に示すように、画面ウィンドウの中央の部分にメインセルとして表示する。画面表示処理部１２４は、画面ウィンドウの中央の部分にメインセルを表示すると共に、メインセルの上部及び下部にそれぞれ、画面レイアウト処理部１２３により選択された隣接セルを表示する。このとき、画面表示処理部１２４は、図５に示すように、隣接セル１１、１２、１４、１５のサイズをメインセル１３のサイズよりも相当に小さく表示する。そして、隣接セル１１、１２、１４、１５には、隣接セル１１、１２、１４、１５に含まれている内容をいずれも縮小して表示することも、該当隣接セルに含まれている内容のうちの一部、例えば、冒頭の一部や末尾の一部だけを選択表示することもできる。後者の場合、隣接セルの内容のうち１行または２行を表示し得る。
【００３６】
隣接セルに含まれている内容のうち一部だけを選択して表示する場合には、メインセルの文字フォントと同じサイズのフォント、あるいは、それよりも小さ目のフォントにすることができる。これにより、ユーザーは、隣接セルの内容を目視で簡単に認識することが可能であり、限定された部分に対しては、メインセルから読み続けることも可能になる。
【００３７】
また、画面レイアウト処理部１２３は、メインセルと一緒に画面ウィンドウに表示している隣接セルのうちのいずれかが選択された場合、当該隣接セルに含まれている内容全部または一部の選択内容を、ポップアップウィンドウの形で画面ウィンドウにオーバーレイして表示するように、画面レイアウトを行うことができる。画面ウィンドウにオーバーレイして表示するポップアップウィンドウは、不透明なものであっても、半透明なものであってもよい。これにより、ユーザーは、画面ウィンドウに表示された隣接セルのいずれかをキー入力部１７０の操作により選択した場合、当該セルに含まれている全内容または一部内容を、メインセルが拡大表示されている状態で一時的に参照することが可能になる。
【００３８】
画面表示処理部１２４は、画面レイアウト処理部１２３により選択されたメインセルと隣接セルを画面ウィンドウの所定の領域に表示するためのそれぞれのデータを、メモリー１１０に一時記憶する。すなわち、ユーザーによりメインセルとして選択されるセルは変わり得るため、画面レイアウト処理部１２３によりメインセルとして選択されたセルを拡大表示するためのデータと、隣接セルとして選択されたセルを拡大表示されたメインセルの周りに表示するためのデータと、をメモリー１１０に一時記憶するものである。
【００３９】
ＲＦ部１３０は、制御部１２０により制御される。ＲＦ部１３０は、周波数帯域の無線チャンネルを介して周波数信号をアンテナＡＮＴを通じて受信すると、帯域を下げてデータの種別を区別した上で、制御部１２０あるいは音声処理部１４０に出力する。ＲＦ部１３０から制御部１２０へと出力されるデータは、文字データまたはページングチャンネルを介して受信されるページング信号及びシグナリング信号となる。そして、音声処理部１４０に出力されるデータは、音声呼が設定された場合に受信される音声データとなる。さらに、ＲＦ部１３０は、制御部１２０から出力されるデータまたは音声処理部１４０から出力される符号化済みの音声データを送信するために、帯域を上げ、アンテナＡＮＴを介して周波数帯域の無線信号に変換して出力する。
【００４０】
音声処理部１４０は、通常、ボコーダー（ＶＯＣＯＤＥＲ）からなり、制御部１２０の制御に応じて駆動される。音声処理部１４０は、マイク（ＭＩＣ）１６０により入力された電気信号を音声データに変調してＲＦ部１３０に出力する。また、音声処理部１４０は、ＲＦ部１３０からの符号化済みの音声データを電気信号に復調してスピーカー（ＳＰＫ）１５０に出力し、そして、スピーカー１５０は、これを可聴音として変換して出力する。
【００４１】
キー入力部１７０は、通常、キーマトリックスの構造を有する。キー入力部１７０は、多数の数字キー、方向キー、及び各種の機能を行うためのファンクションキーを備え、ユーザーのキー入力に応じて、キーデータに対応する電気的な信号を制御部１２０に出力する。
【００４２】
表示部１８０は画面ウィンドウを提供し、メモリー１１０に保存されている文書の各ページを分割処理して得られるセルを表示する。また、表示部１８０は、移動通信端末の現在のステータスを表示するか、あるいは、プログラムの進み具合を表示する。この表示装置は、液晶表示装置（Liquid Crystal Display：ＬＣＤ）などの表示装置であってよい。
【００４３】
図６は、画面分割表示機能付き移動通信端末において実行される画面表示方法を示すフローチャートである。
【００４４】
制御部１２０の分割処理部１２２は、キー入力部１７０を介して選択された文書ファイルのいずれか１ページに対する画面分割表示の要請があった場合、メモリー１１０に保存されている文書ファイルの該当ページを所定の数、例えば、９個のセルに分割して各セルをメモリー１１０に保存する（ステップＳ１）。
【００４５】
分割処理部１２２により文書のページに対応するセルが生成されてメモリー１１０に保存されると、画面レイアウト処理部１２３は、キー入力部１７０を介してユーザーにより全画面表示機能が選択されているかどうかを判断する（ステップＳ２）。
【００４６】
ステップＳ２における判断の結果、全画面表示機能が選択されている場合、画面レイアウト処理部１２３は、メモリー１１０に保存されている各分割セルを組み合わせて１画面ウィンドウに表示するように画面レイアウトを行う（ステップＳ３）。
【００４７】
画面レイアウト処理部１２３により全画面表示機能を行うための画面レイアウトが行われると、画面表示処理部１２４は、画面レイアウト処理部１２３によりレイアウトされた分割セルよりなるページを画面ウィンドウに表示する（ステップＳ４）。
【００４８】
そして、画面レイアウト処理部１２３は、画面表示処理部１２４により全画面表示機能が実行されている状態で、セル選択及び拡大表示機能の要請が行われているかどうかを判断する（ステップＳ５）。
【００４９】
ステップＳ５における判断の結果、セル選択と拡大表示機能の要請が行われている場合、画面レイアウト処理部１２３は、拡大表示機能を行うが、このとき、拡大表示するセルと一緒に表示したい隣接セルの選択も実行する（ステップＳ６）。
【００５０】
画面レイアウト処理部１２３は、拡大表示すべきセルをメインセルとして画面ウィンドウの中央に配置すると共に、一緒に表示すべき隣接セルをメインセルが表示された画面ウィンドウ領域の所定の位置、例えば、メインセルが表示された画面ウィンドウ領域の上下部に表示するように、画面レイアウトを行う（ステップＳ７）。
【００５１】
画面レイアウト処理部１２３により拡大表示機能を行うための画面レイアウトが行われると、画面表示処理部１２４は、画面レイアウト処理部１２３により行われた画面レイアウトに応じて、画面ウィンドウの中央にメインセルを拡大表示すると共に、メインセルを表示した領域の上部または下部の所定の位置に隣接セルをメインセルの表示サイズよりも小さな所定のサイズで表示する（ステップＳ８）。
【００５２】
図７は、画面分割表示機能付き移動通信端末において画面表示方法を実行したときの画面例の図である。
【００５３】
まず、キー入力部１７０の操作により全画面表示機能が選択されると、画面表示処理部１２４は、複数の分割セルよりなる第１の画面２０を表示部１８０の画面ウィンドウに表示する。この第１の画面２０において、カーソルがＥセルにある状態で拡大表示機能（Zoom）が実行されると、Ｅセルをメインセルとして拡大した第２の画面３０が表示部１８０の画面ウィンドウに表示される。
【００５４】
第２の画面３０を参照すると、画面ウィンドウの中央にＥセルが拡大表示されており、該Ｅセルの上部には、Ｅセルの左側に隣り合うＤセルとＥセルの左斜め上側に隣り合うＡセルとが順番に表示されている。また、Ｅセルの下部には、Ｅセルの右側に隣り合うＦセルとＥセルの右斜め下側に隣り合うＩセルとが順番に表示されている。この第２の画面３０において、メインセルとしてのＥセルは画面ウィンドウの中央に広く表示されているのに対し、隣接セルのＡ、Ｄ、Ｆ、ＩはＥセルに比べて相当に小さなサイズで表示されている。
【００５５】
表示部１８０の画面ウィンドウに第２の画面３０が表示された状態で、キー入力部１７０に配備された方向キーのうち上方向の方向キーが選択された場合、第３の画面４０が表示部１８０の画面ウィンドウに表示される。第３の画面４０を参照すると、第１の画面２０においてＥセルの上側に位置しているＢセルが画面ウィンドウの中央に拡大表示されており、Ｂセルの上部には、Ｂセルの左側に隣り合うＡセルが表示されている。また、Ｂセルの下部には、第１の画面２０から明らかなように、Ｂセルの右側に隣り合うＣセルと、Ｂセルの右斜め下側に隣り合うＦセルが順番に表示されている。
【００５６】
ここで、第３の画面４０と上述の第２の画面３０とを比較すると、第２の画面３０にはメインセルの上部に二つの隣接セルＡ、Ｄが表示されているのに対し、第３の画面４０には一つの隣接セルＡだけが表示されている。というのは、第１の画面２０から明らかなように、Ｅセルの場合には、左右の隣接セル、左斜め上側の隣接セル、右斜め下側の隣接セルがいずれも存在しているのに対し、Ｂセルの場合には、左右の隣接セル及び右斜め下側の隣接セルは存在しているものの、左斜め上側の隣接セルが存在していないためである。すなわち、第３の画面４０においては、存在しないセルをあえて表示することなく、その分の面積をメインセルのＢセルに付け加えて割り当てている。
【００５７】
また、第３の画面４０においても、メインセルであるＢセルは画面ウィンドウの中央に広く表示されているのに対し、隣接セルのＡ、Ｃ、ＦはＢセルに比べて相当に小さなサイズで表示されていることが分かる。
【００５８】
表示部１８０の画面ウィンドウに第２の画面３０が表示された状態で、キー入力部１７０に配備された方向キーのうち右方向の方向キーが選択された場合、第４の画面５０が表示部１８０の画面ウィンドウに表示される。第４の画面５０を参照すると、第１の画面２０においてＥセルの右側に位置しているＦセルが画面ウィンドウの中央に拡大表示されており、Ｆセルの上部には、Ｆセルの左側に隣り合うＥセルと、Ｆセルの左斜め上側に隣り合うＢセルが順番に表示されている。一方、第４の画面５０を見ると、Ｆセルの下部に表示されているセルはない。すなわち、第４の画面５０と上述の第２の画面３０とを比較すると、第２の画面３０にはメインセルの下部に二つの隣接セルＦ、Ｉが表示されているのに対し、第４の画面５０にはいかなる隣接セルも表示されていない。というのは、第１の画面２０から明らかなように、Ｅセルの場合には、左右の隣接セル、左斜め上側の隣接セル、右斜め下側の隣接セルがいずれも存在しているのの対し、Ｆセルの場合には、左側隣接セルと左斜め上側の隣接セルは存在しているものの、右側の隣接セルと右斜め下側の隣接セルは存在しないためである。すなわち、第４の画面５０においては、存在しないセルをあえて表示することなく、その分の面積をメインセルのＦセルに付け加えて割り当てている。
【００５９】
この第４の画面５０においても、メインセルであるＦセルは画面ウィンドウの中央に広く表示されているのに対し、隣接セルのＢ、ＥはＦセルに比べて相当に小さなサイズで表示されていることが分かる。
【００６０】
表示部１８０の画面ウィンドウに第２の画面３０が表示された状態で、キー入力部１７０に配備された方向キーのうち下方向の方向キーが選択された場合、第５の画面６０が表示部１８０の画面ウィンドウに表示される。第５の画面６０を参照すると、第１の画面２０においてＥセルの下側に位置していたＨセルが画面ウィンドウの中央に拡大表示されており、Ｈセルの上部には、Ｈセルの左側に隣り合うＧセルが表示され、Ｈセルの下部には、第１の画面２０から明らかなように、Ｈセルの右側に隣り合うＩセルが表示されている。第５の画面６０と上述の第２の画面３０とを比較すると、第２の画面３０の場合には、メインセルの上部に二つの隣接セルＡ、Ｄが表示されており、下部に二つの隣接セルＦ、Ｉが表示されているのに対し、第５の画面６０には、上部に一つの隣接セルＧ及び下部に一つの隣接セルＩだけが表示されている。というのは、第１の画面２０から明らかなように、Ｅセルの場合には、左右側の隣接セル、左斜め上側の隣接セル、右斜め下側の隣接セルがいずれも存在しているのの対し、Ｈセルの場合には、左右側の隣接セルは存在しているものの、左斜め上側の隣接セル及び右斜め下側の隣接セルは存在しないためである。すなわち、第５の画面６０においては、存在しないセルをあえて表示することなく、その分の面積をメインセルのＨセルに付け加えて割り当てている。
【００６１】
この第５の画面６０においても、メインセルのＨセルは画面ウィンドウの中央に広く表示されているのに対し、隣接セルのＧ、ＩはＨセルに比べて相当に小さなサイズで表示されていることが分かる。
【００６２】
表示部１８０の画面ウィンドウに第２の画面３０が表示された状態で、キー入力部１７０に配備された方向キーのうち左方向の方向キーが選択された場合、第６の画面７０が表示部１８０の画面ウィンドウに表示される。第６の画面７０を参照すると、第１の画面２０においてＥセルの左側に位置していたＤセルが画面ウィンドウの中央に拡大表示されており、Ｄセルの下部には、Ｄセルの右側に隣り合うＥセルと、Ｄセルの右斜め下側に隣り合うＨセルとが順番に表示されている。一方、第６の画面７０を見ると、Ｄセルの上部に表示されているセルはない。第６の画面７０と上述の第２の画面３０とを比較すると、第２の画面３０の場合には、メインセルの上部に二つの隣接セルＡ、Ｄが表示されているのに対し、第６の画面７０の場合には、メインセルの上部にいかなる隣接セルも表示されていない。というのは、第１の画面２０から明らかなように、Ｅセルの場合には、左右の隣接セル、左斜め上側の隣接セル、右斜め下側の隣接セルがいずれも存在しているのに対し、Ｄセルの場合には、右側の隣接セルと、右斜め下側の隣接セルは存在しているものの、左側の隣接セル及び左斜め上側の隣接セルは存在しないためである。すなわち、第６の画面７０においては、存在しないセルをあえて表示することなく、その分の面積をメインセルのＤセルに付け加えて割り当てている。
【００６３】
この第６の画面７０においても、メインセルであるＤセルは画面ウィンドウの中央に広く表示されているのに対し、隣接セルのＥ、ＨはＤセルに比べて相当に小さなサイズで表示されていることが分かる。
【００６４】
本発明は、上述の実施形態に限定されるものではなく、当業者にとって種々の変形及び変更を行うことが可能であり、これらは特許請求の範囲において定義される本発明の趣旨と範囲に含まれる。
【００６５】
例えば、本発明の実施形態においては、３×３という９分割の画面表示方法について説明しているが、これに限定されるものではなく、ユーザーの設定により、３×４または４×３による１２分割、３×５または５×３による１５分割、３×６または６×３による１８分割など３の倍数に領域を分割し、分割された領域を画面に合わせて表示するなど、種々に変形可能である。また、３の倍数による分割方法に加えて、２×２による４分割、２×３または３×２による６分割、２×４または４×２による８分割、２×５または５×２による１０分割、２×６または６×２による１２分割、２×７または７×２による１４分割、２×８または８×２による１６分割など２の倍数に領域を分割し、分割された領域を画面に合わせて表示するなど種々に変形可能である。さらに、４×４による１６個に領域を分割し、分割された領域を画面に合わせて拡大表示することもできる。これらに加えて、移動通信端末の解像度及び文書の内容を考慮して、種々の分割倍率に変更設定して、該当機能を変形適用することができる。
【００６６】
さらには、本発明の実施形態において説明された画面分割表示機能を一層容易に行うために、現在メインセルとして選択されたセルが全体の分割セルのうちどの位置にあるセルであるかを視覚的に知らせるための種々の変形例が採用可能である。例えば、画面ウィンドウにポップアップウィンドウの表示技法を用いてサムネイルウィンドウを表示し、そのサムネイルウィンドウに現在メインセルとして選択されて表示されているセルの領域を表示する。このとき、サムネイルウィンドウは、半透明なものであっても、そうでなくても良い。または、拡大されたメインセルが分割された複数のセルのうちどの位置にあるセルであるかを示す半透明な位置報知ウィンドウを画面ウィンドウにオーバーレイして表示することもできる。位置報知ウィンドウは、分割されたセルの領域に対応する数の領域に分割し、分割された全体セルの中から選択されたメインセルとしての領域を暗めにまたは明るめに調節して、どの位置にあるセルが選択されたかを表示することができる。また、位置報知ウィンドウは、画面ウィンドウの全体または一部に亘って半透明に表示されるので、画面ウィンドウに表示されたセルの内容を読み込むことを妨げない。
【００６７】
さらに、キー入力部１７０に設けられた任意のキーパッドが押下されたとき、該当キーパッドの下層に取り付けられたＬＥＤの点灯により他のキーパッドと区別される構造のものにおいては、キー入力部１７０に設けられたキーパッドと連動して現在画面ウィンドウに表示されているセルの領域を指示することができる。すなわち、キー入力部１７０が一つのページを構成する複数のセルと一対一に対応するように配設されたキーパッドを備える場合に、画面ウィンドウのある領域に表示されたセルの位置を該当キーパッドの発光の有無によって指示することになる。このとき、キーパッドは、０〜９までの数字キーパッド、及び＊、＃のキーパッドを備えることができ、別途のキーパッドを限定して備えることもできる。すなわち、キー入力部１７０に設けられた数字キーパッドと連動して、画面分割を３×４キーパッドの構造と一対一にマッチング可能な３×３の分割による９分割にした場合に、９個のセルはそれぞれ数字キーパッドの１〜９番の数字キーによりマッチングして表示することができる。このため、選択されるセルに対応する数字キーが点灯されるようにできる。すなわち、分割された領域のうち１番のセルが選択された場合には１番のキーパッドが点灯され、２番のセルが選択された場合には２番のキーパッドが点灯されるようにできる。また、画面分割を２×２の分割による４分割にした場合には、３×４の数字キーのうち１、２、４、５の数字キーだけを用いて、１番のセルが選択された場合には１番の数字キーが、２番のセルが選択された場合には２番の数字キーが、３番のセルが選択された場合には４番の数字キーが、そして４番のセルが選択された場合には５番の数字キーが点灯されるようにしてもよい。さらに他の方法としては、画面分割を２×２の分割による４分割にした場合には、３×４の数字キーのうち１、２、３、４の数字キーだけを用いて、１番のセルが選択された場合には１番の数字キーが、２番のセルが選択された場合には２番の数字キーが、３番のセルが選択された場合には３番の数字キーが、そして４番のセルが選択された場合には４番の数字キーが点灯されるようにしてもよい。これと同様に、画面分割を２×３または３×２の分割による６分割にした場合には、３×４の数字キーのうち１、２、３、４、５、６の数字キーだけを用いて、１番のセルが選択された場合には１番の数字キーが、２番のセルが選択された場合には２番の数字キーが、３番のセルが選択された場合には３番の数字キーが、４番のセルが選択された場合には４番の数字キーが、５番のセルが選択された場合には５番の数字キーが、そして６番のセルが選択された場合には６番の数字キーが点灯されるようにしてもよい。さらに他の方法としては、画面分割を３×４キーパッド（数字キー、＊、＃）の構造と一対一にマッチング可能な３×４による１２分割にした場合に、１２個のセルはそれぞれ数字キー０〜９番、及び＊、＃キーにマッチングして表示することができる。
【００６８】
さらに、本発明の実施形態においては、キー入力部１７０に配備された方向キーを用いて画面ウィンドウに表示すべきセルを選択する場合について説明しているが、これに限定されることなく、種々の方法により具現可能である。例えば、キー入力部１７０に設けられた任意のキーパッドが押下されるとき、該当キーパッドの下層に取り付けられたＬＥＤの点灯により他のキーパッドと区別される構造のものの場合には、キー入力部１７０に設けられたキーパッドと連動して、現在画面ウィンドウに表示すべきセルの領域を選択することができる。すなわち、キー入力部１７０に設けられた数字キーと連動して、画面分割を３×４数字キーの構造と一対一にマッチング可能な３×３による９分割にした場合に、９個のセルはそれぞれ数字キー１〜９番にマッチングして選択することができる。このため、分割された領域のうち１番のセルを選択するには１番のキーパッドを押下し、２番のセルを選択するには２番のキーパッドを押下するなど、選択したいセルに対応する数字キーを押下して当該セルを選択することができる。また、画面分割を２×２の分割による４分割にした場合には、３×４の数字キーのうち１、２、４、５の数字キーだけを用いて、１番のセルを選択したい場合には１番の数字キーを、２番のセルを選択したい場合には２番の数字キーを、３番のセルを選択したい場合には４番の数字キーを、そして４番のセルを選択したい場合には５番の数字キーを押下するようにしてもよい。さらに他の方法としては、画面分割を２×２の分割による４分割にした場合には、３×４の数字キーのうち１、２、３、４の数字キーだけを用いて、１番のセルを選択したい場合には１番の数字キーを、２番のセルを選択したい場合には２番の数字キーを、３番のセルを選択したい場合には３番の数字キーを、そして４番のセルを選択したい場合には４番の数字キーを押下するようにしてもよい。これと同様に、画面分割を２×３または３×２の分割による６分割にした場合には、３×４の数字キーのうち１、２、３、４、５、６の数字キーだけを用いて、１番のセルを選択したい場合には１番の数字キーを、２番のセルを選択したい場合には２番の数字キーを、３番のセルを選択したい場合には３番の数字キーを、４番のセルを選択したい場合には４番の数字キーを、５番のセルを選択したい場合には５番の数字キーを、６番のセルを選択したい場合には６番の数字キーを押下するようにしてもよい。
【００６９】
このとき、画面の分割領域をキー入力部１７０１に設けられたキーパッドと連動して表示または選択することは同時に行ってもよい。このため、任意のセルを選択するために任意のキーパッドを選択すると、該当キーパッドのＬＥＤが点灯されて該当キーパッドが発光され、当該セルの内容が画面ウィンドウに拡大表示可能である。
【００７０】
さらには、本発明の実施形態においては、メモリー１１０に文書が保存されている場合に、該当文書を表示部１８０に、分割された領域を通じて画面表示することについて説明しているが、分割された領域を通じて画面に表示可能なものとしてウェブ文書も含まれる。
【図面の簡単な説明】
【００７１】
【図１】本発明の実施形態による移動通信端末において、画面分割表示機能を行うための画面分割表示原理を説明するための図。
【図２】図１に示す各セルのうちの一つを拡大して画面ウィンドウに表示することを説明する図。
【図３】本発明の実施形態による画面分割表示機能付きの移動通信端末の構成を示すブロック図。
【図４】本発明の実施形態による画面分割表示機能付きの移動通信端末において全画面表示機能が実行されたときの画面例を示す図。
【図５】本発明の実施形態による画面分割表示機能付きの移動通信端末において拡大表示機能が実行されたときの画面例を示す図。
【図６】本発明の実施形態による画面分割表示機能付きの移動通信端末において実行される画面表示方法を示すフローチャートである。
【図７】本発明の実施形態による画面分割表示機能付きの移動通信端末において画面表示方法を実行したときの画面例を示す図。
【符号の説明】
【００７２】
１００  移動通信端末
１１０  メモリー
１２０  制御部
１２１  移動通信処理部
１２２  分割処理部
１２３  画面レイアウト処理部
１２４  画面表示処理部
１３０  ＲＦ部
１４０  音声処理部
１５０  スピーカー
１６０  マイク
１７０  キー入力部
１８０  表示部
１９０  カメラ部
【図１】
0004691489.tif 000002
【図２】
0004691489.tif 000003
【図３】
0004691489.tif 000004
【図４】
0004691489.tif 000005
【図５】
0004691489.tif 000006
【図６】
0004691489.tif 000007
【図７】
0004691489.tif 000008